(57)【要約】【課題】ボトムロック構造の包装箱において、組立性を損なうことなく、側面底フラップと妻面底フラップの固着をはずし、妻面底フラップを抜き出して底面を不正に開封することを防止すること。【解決手段】側板と妻板、および、糊代片を縦方向の罫線を介して水平方向に順次連設し、前記側板と妻板に横方向の罫線を介して、それぞれに、底フラップを連設するとともに、前記側板に連設された側面底フラップに４５度の角度で設けられた罫線を介して貼り付け片を連設し、前記妻板に連設された妻面底フラップに貼り付けられるように構成したボトムロック包装箱において、側面底フラップの自由端側に罫線を介して舌片を延設するとともに、妻面底フラップに突出部を設け、折りたたんだ状態から箱体に組み上げた際に、前記妻面底フラップに設けられた突出部が、前記側面底フラップから立ち上げられた舌片の、妻面との連設部とは反対側の先に配されるように構成する。【選択図】図１
2019177881.tif 000002
【特許請求の範囲】
【請求項１】
第１の妻板と、表面側板と、第２の妻板と裏面側板と糊代片を縦方向の折り曲げ線を介して連設し、前記第１の妻板、表面側板、第２の妻板、裏面側板の下端に、それぞれ、横方向の折り曲げ線を介して、第１妻側底フラップ、表面側板底フラップ、第２妻側底フラップおよび、裏面側板底フラップを連設し、
前記、表面側板底フラップの第１妻側底フラップ側には、４５度の折り曲げ線を介して
第１の貼り付け片が連設され、
前記、裏面側板底フラップの第２妻側底フラップ側には、４５度の折り曲げ線を介して
第２の貼り付け片が連設されている、ボトムロック構造の包装容器において、
前記表面側板底フラップ、および、裏面側板底フラップの自由端には、相互に突き合わせて立ち上げた状態で当接させる舌片を、折り曲げ線を介して延設するとともに、
前記第１妻側底フラップ、および、第２妻側底フラップの自由端から、前記、表面側板底フラップ、および、裏面側板底フラップとは反対の方向に突出部を形成し、
ワンタッチで角筒状に起こした際に、前記、第１妻側底フラップ、および、第２妻側底フラップに設けられた突出部が、前記、表面側板底フラップ、および、裏面側板底フラップから延設された舌片より先に位置することを特徴とする包装箱。
【請求項２】
前記第１妻側底フラップ、および／または、第２妻側底フラップに設けられた突出部が、前記表面側板底フラップ、および／または、裏面側板底フラップから延設された舌片と係合することを特徴とする請求項１に記載の包装箱。
【発明の詳細な説明】
【技術分野】
【０００１】
本発明は、さまざまな商品の包装用の箱であり、折りたたんだ状態から即時に組み立てることができるボトムロック式包装箱に関する。
【背景技術】
【０００２】
従来より、運搬時や保管時には扁平に折りたたみ、使用時にはワンタッチで有底の角筒形状に組み立てて使用するボトムロック式の包装箱が知られている。
【０００３】
ボトムロックの構造は、例えば長手方向側面に連設された底フラップに４５度の罫線を介して延設した固定片を、幅方向の妻面に連設された底フラップに固着した構造である。これによって、折りたたんだ状態から容易に箱体に組み立てることができ、長手方向の側面底フラップの先端部に形成されたロック部により、箱体の形状を保持させている。
【０００４】
ボトムロック構造の包装箱は、折りたたんだ状態から容易に箱体に組み立てることができる利点がある。一方、底面は四周の側面に連設されるフラップの組み合わせで形成されるため、不正に開封して内容物の抜き取るなどの問題がある。
【０００５】
これに対し、特許文献１や特許文献２では側面底フラップ同士のロックを工夫して、内容物の抜き取りを防止しているが、側面底フラップと妻面底フラップの固着をはずし、妻面底フラップを抜き出して底面を不正に開封することについては無防備である。
【先行技術文献】
【特許文献】
【０００６】
【特許文献１】特開２０１１−１５２９２７号公報
【特許文献２】特開２０１１−２２５２５４号公報
【発明の概要】
【発明が解決しようとする課題】
【０００７】
そこで、本発明の目的は、ボトムロック方式の包装箱の底フラップ構造を改良して、不正開封を防止することが可能なボトムロック式の包装箱を提供することにある。
【課題を解決するための手段】
【０００８】
上記の目的を達成するために、本発明に係る包装箱は、
側板と妻板、および、糊代片を縦方向の罫線を介して水平方向に順次連設し、前記側板と妻板に横方向の罫線を介して、それぞれに、底フラップを連設するとともに、前記側板に連設された側面底フラップに４５度の角度で設けられた罫線を介して貼り付け片を連設し、前記妻板に連設された妻面底フラップに貼り付けられるように構成したボトムロック包装箱において、側面底フラップの自由端側に罫線を介して舌片を延設するとともに、妻面底フラップに突出部を設け、折りたたんだ状態から箱体に組み上げた際に、前記妻面底フラップに設けられた突出部が、前記側面底フラップから立ち上げられた舌片の、妻面との連設部とは反対側の先に配されるように構成する。
【発明の効果】
【０００９】
本発明に係るボトムロック式の包装箱によれば、従来のボトムロック式包装箱と同様に簡単に組み立てや折りたたみをすることができるだけでなく、底面の固着部をはずしても、妻面底フラップに設けられた突出部が、側面底フラップから立ち上げられた舌片に規制されて妻面底フラップを容易に抜き出すことができないため、不正に開封されることを防止することができる。
【図面の簡単な説明】
【００１０】
【図１】本発明による包装箱の展開図
【図２】本発明による包装箱の組み立て途中の形態を示す透視斜視図
【図３】本発明による包装箱の組立後の形態を示す透視斜視図
【発明を実施するための形態】
【００１１】
以下に、本発明の好ましい実施の形態を、添付の図面に基づいて詳細に説明する。
【実施例１】
【００１２】
以下、本発明の第１の実施例による、包装箱について説明する。
【００１３】
図１は段ボールなどの厚紙を材料に用いて作られ、デジタルカメラなどの小型の被包装物（図示せず）を収納する紙製包装箱の展開形状を示した図である。
【００１４】
図において、妻板１、表面側板２、妻板３、背面側板４および糊代片５は、それぞれ、縦方向の罫線ａ、ｂ、ｃ、ｄを介して右から左に水平方向に連設されている。妻板１の下縁には妻側底フラップ６が罫線ｅを介して連設されており、前記妻側底フラップ６の自由端には突出部６ａが罫線ｅと平行に、かつ、罫線ａと反対方向に突きでている。また、妻板３の下縁にも同様に妻側底フラップ８が罫線ｇを介して連設されており、前記妻側底フラップ８の自由端には突出部８ａが罫線ｇと平行に、かつ、罫線ｃと反対方向に突きでている。
【００１５】
一方、表面側板２の下縁には、罫線ｆを介して側板底フラップ７が連設されており、その自由端の略中央には罫線ｍを介して舌片７ａが延出されている。また、前記側板底フラップ７右端には略４５度の罫線ｊを介して貼り付け片７ｂが形成されている。同様に、背面側板４の下縁には、罫線ｈを介して側板底フラップ９が連設されており、その自由端の略中央には罫線ｎを介して舌片９ａが延出されている。また、前記側板底フラップ９の右端には略４５度の罫線ｋを介して貼り付け片９ｂが形成されている。
【００１６】
前記貼り付け片７ｂおよび９ｂは、その裏面を接着剤により、前記妻側底フラップ６および８の表側に貼付される。また、前記糊代片５は前記妻板１に貼付される。
【００１７】
前記妻板１，３の上側には罫線ｐ、ｑを介してフラップ１６，１７が連設されている。また、前記背面側板４の上縁にはふた部材１８および差し込み片１９が罫線ｒ、ｓを介して連設されている。
【００１８】
次に図２〜図３を用いて本包装箱の組み立てについて説明する。
【００１９】
ボトムロック式の包装箱では、折りたたまれた状態では、底面フラップは包装箱の内側に折りたたまれた状態となる。上記実施例では妻側底フラップ６、８および側板底フラップ７、９が罫線ｅ，ｇ，ｆ，ｈで、山折りされたのちに、妻板１、および、背面側板４が罫線ａ，ｃで山折りされ、糊代片５が妻板１の背面に貼付される。
【００２０】
この状態から妻板１、表面側板２、妻板３、背面側板４を筒状に開いていくと、貼り付け片７ｂおよび９ｂが妻側底フラップ６および９に貼付されているため、折りたたまれていた妻側底フラップ６、８および側板底フラップ７、９が起き上がり、図２の状態になる。この時、側板底フラップ７、９より延出された舌片７ａ、９ａは罫線ｍ、ｎで包装箱内側に立ち上げておく。
【００２１】
妻板１、表面側板２、妻板３、背面側板４をさらに開いて略長方形形状にすると、図３に示すように、妻側底フラップ６、８および側板底フラップ７、９が重なり合い、包装箱の底部を形成する。この際には立ち上げられた舌片７ａ、９ａが突き合わされる。
【００２２】
この時、妻側底フラップ６、８の自由端に設けられた突出部６ａ、８ａが立ち上げられた舌片７ａ、９ａのエッジ部と係合し包装箱を箱体に組み上げた状態で保持する。
【００２３】
本実施例においては包装箱が収納ずる製品については特定はしないが、その、保持部材によって、前記突出部６ａ、８ａの浮き上がりを押さえることによって、前記保持機能が強固になることは言うまでもない。また、前記保持部材によって前記突出部６ａ、８ａの浮き上がりが押さえられていれば、突出部６ａ、８ａは舌片７ａ、９ａのエッジ部と必ずしも係合する必要はなく、あるいは、片側のみ係合しても良い。
【００２４】
なお、本実施例においては、上蓋片は背面側板に連設されているが、前後を逆にし、表面側板前側より連設される構成としても良い。
【符号の説明】
【００２５】
１，３  妻板、２  表面側板、４  背面側板、５  糊代片、６，８  妻側底フラップ、
６ａ，８ａ  突出部、７，９  側板底フラップ、７ａ，９ａ  舌片、
７ｂ，９ｂ  貼り付け片、１４  折込片、１４ａ  係止片、１５  係止舌片、
１６，１７  フラップ、１８  ふた部材、１９  差し込み片
【図１】
2019177881.tif 000003
【図２】
2019177881.tif 000004
【図３】
2019177881.tif 000005